(57)【要約】【課題】設置面積を小さくすることが可能な表示装置を提供する。【解決手段】設置面に載置されたスタンドおよび前記スタンドに支持された平板状の表示部を有する組立体と、前記表示部の背面側に設けられた重量物とを含む集合体を備え、前記スタンドの前記設置面との接触部は、前記表示部の重心を通り前記設置面に垂直な第１の直線に対して前記組立体の後方転倒角に等しい角度をなす第２の直線と、前記第１の直線に対して前記組立体の前方転倒角に等しい角度をなす第３の直線と、前記設置面とで囲まれた第１の三角形の内側に収まっている表示装置。【選択図】図２
2014191059.tif 000002
【特許請求の範囲】
【請求項１】
設置面に載置されたスタンドと、
前記スタンドに支持された平板状の表示部と、
前記表示部の背面側に設けられた重量物と
を含む組立体を備え、
前記スタンドの前記設置面との接触部は、前記表示部の重心を通り前記設置面に垂直な第１の直線に対して前記組立体の後方転倒角に等しい角度をなす第２の直線と、前記第１の直線に対して前記組立体の前方転倒角に等しい角度をなす第３の直線と、前記設置面とで囲まれた第１の三角形の内側に収まっている
表示装置。
【請求項２】
前記スタンドの前記設置面との接触部は、前記組立体の重心を通り前記設置面に垂直な第４の直線に対して前記組立体の後方転倒角に等しい角度をなす第５の直線と、前記第４の直線に対して前記組立体の前方転倒角に等しい角度をなす第６の直線と、前記設置面とで囲まれた第２の三角形の底辺をなしている
請求項１記載の表示装置。
【請求項３】
前記重量物の位置および重量は、前記第２の三角形が前記第１の三角形の内側にあるように調整されている
請求項２記載の表示装置。
【請求項４】
前記組立体の後端が、前記表示部の後端を通り前記設置面に垂直な面内にある
請求項１記載の表示装置。
【請求項５】
前記重量物は、金属塊よりなる重りである
請求項１記載の表示装置。
【請求項６】
前記重量物は、前記表示部に内蔵されている
請求項１記載の表示装置。
【請求項７】
前記重量物は、前記表示部の電源またはスピーカである
請求項６記載の表示装置。
【請求項８】
前記表示部は、一次元方向に湾曲している
請求項１記載の表示装置。
【請求項９】
前記重量物は、前記表示部の湾曲方向における両端に設けられている
請求項８記載の表示装置。
【発明の詳細な説明】
【技術分野】
【０００１】
本開示は、テレビジョン装置などに好適な表示装置に関する。
【背景技術】
【０００２】
例えば特許文献１には、平面状のＰＤＰユニットを支える架台に錘を設置することにより、表示装置の転倒を回避して安定に保持することが記載されている。
【先行技術文献】
【特許文献】
【０００３】
【特許文献１】特開平１１−２５１７５８号公報
【発明の概要】
【発明が解決しようとする課題】
【０００４】
しかしながら、特許文献１に記載の表示装置では、架台がＰＤＰユニットの後方に大きく張り出しており、設置面積が大きいという問題があった。
【０００５】
本開示はかかる問題点に鑑みてなされたもので、その目的は、設置面積を小さくすることが可能な表示装置を提供することにある。
【課題を解決するための手段】
【０００６】
本開示の表示装置は、設置面に載置されたスタンドと、スタンドに支持された平板状の表示部と、表示部の背面側に設けられた重量物とを含む組立体を備え、スタンドの設置面との接触部は、表示部の重心を通り設置面に垂直な第１の直線に対して組立体の後方転倒角に等しい角度をなす第２の直線と、第１の直線に対して組立体の前方転倒角に等しい角度をなす第３の直線と、設置面とで囲まれた第１の三角形の内側に収まっているものである。
【０００７】
本開示の表示装置では、表示部の背面側に重量物が設けられ、スタンドの設置面との接触部は、表示部の重心を頂点とする上記第１の三角形の内側に収まっている。このとき、組立体の重心は、表示部の重心と重量物の重心とを結ぶ直線上で、表示部と重量物との重量比により決定される。重量物の位置および重量を適切に設定することにより、組立体の重心を、スタンドの設置面との接触部の上方に位置させることが可能となり、スタンドの奥行きが小さくても組立体の転倒が抑えられ、組立体がバランスよく支持される。
【発明の効果】
【０００８】
本開示の表示装置によれば、表示部の背面側に重量物を設け、スタンドの設置面との接触部が上記第１の三角形の内側に収まるようにしたので、設置面積を小さくすることが可能となる。
【図面の簡単な説明】
【０００９】
【図１】本開示の第１の実施の形態に係る表示装置を背面側から見た外観を表す斜視図である。
【図２】図１に示した表示装置の左側面図である。
【図３】図１に示した表示装置を前面側から見た外観を表す斜視図である。
【図４】通常の表示装置のスタンドの奥行きの下限を説明するための左側面図である。
【図５】図４に示した第１の三角形と本実施の形態の表示装置のスタンドとの関係を説明するための左側面図である。
【図６】図１に示した表示装置の製造方法を工程順に表す左側面図である。
【図７】図６に続く工程を表す左側面図である。
【図８】本開示の第２の実施の形態に係る表示装置を背面側から見た外観を表す斜視図である。
【図９】図８に示した表示装置の左側面図である。
【図１０】図８に示した表示装置を前面側から見た外観を表す斜視図である。
【図１１】図８に示した表示装置の重りの配置を説明するための斜視図である。
【図１２】図１１に示した表示装置の左側面図である。
【図１３】本開示の第３の実施の形態に係る表示装置を背面側から見た外観を表す斜視図である。
【図１４】図１３に示した表示装置の左側面図である。
【図１５】図１３に示した表示装置を前面側から見た外観を表す斜視図である。
【図１６】本開示の第４の実施の形態に係る表示装置を背面側から見た外観を表す斜視図である。
【図１７】図１６に示した表示装置の左側面図である。
【図１８】図１７に示した表示装置を前面側から見た外観を表す斜視図である。
【図１９】本開示の第５の実施の形態に係る表示装置を斜め前方から見た外観を表す斜視図である。
【図２０】図１９に示した表示装置の左側面図である。
【図２１】図１９に示した表示装置を斜め後方から見た外観を表す斜視図である。
【図２２】図１９に示した表示装置を前面側から見た正面図である。
【発明を実施するための形態】
【００１０】
以下、本開示の実施の形態について図面を参照して詳細に説明する。なお、説明は以下の順序で行う。
１．第１の実施の形態（重りを表示部の外側の後方下部に追加した例）
２．第２の実施の形態（重りを表示部に内蔵した例）
３．第３の実施の形態（表示部の背面を一律な傾斜をもつ傾斜面とすることにより、表示部の厚みを上端から下端に向かって徐々に厚くする例）
４．第４の実施の形態（表示部の背面に、表示部の厚みが薄い上部と表示部の厚みが厚い下部とをつなげる曲面状の推移部を設けた例）
５．第５の実施の形態（湾曲した表示部を有する例）
【００１１】
（第１の実施の形態）
図１は、本開示の第１の実施の形態に係る表示装置を背面側から見た外観を表したものである。図２は、この表示装置を図１における矢印ＩＩ方向（左側方）から見た外観を表している。この表示装置１は、例えばテレビジョン装置として用いられるものである。表示装置１は、水平な設置面Ｐ１に載置されたスタンド１０と、このスタンド１０に支持された平板状の表示部２０と、表示部２０の背面下部後方に設けられた重量物３０とを有している。スタンド１０，表示部２０および重量物３０は、組立体４０を構成している。
【００１２】
本明細書では、表示装置１の主面（最も広い面）に対して垂直な方向（前後方向）をＺ方向、表示装置１の主面において左右方向をＸ方向、表示装置１の主面において上下方向をＹ方向とする。左右は背面から見た方向として表す。
【００１３】
スタンド１０は、例えば図１に示したように、帯状の金属板の曲げ加工により形成されたものであり、表示部２０の下部中央に取り付けられている。なお、図１に示したスタンド１０の形状は一例であり、これに限定されないことは言うまでもない。また、スタンド１０の取付位置も、表示部２０の下部中央に限定されない。
【００１４】
表示部２０は、例えば図３に示したように、液晶または有機ＥＬ（Electroluminescence）等の表示パネル２１を筐体２２に収容した構成を有している。筐体２２は前面に開口２２Ａを有し、視聴者はこの開口２２Ａを通して表示パネル２１に表示された画像を視認することが可能となっている。表示部２０（筐体２２）の背面下部の領域は、被覆部材２３により被覆されている。被覆部材２３の内側には、電源および基板類（図示せず）が実装され、あるいは、音響生成装置（スピーカ）等（図示せず）が収納されている。表示部２０の重心Ｇｄは、表示部２０の背面下部に電源および基板類やスピーカが設けられているので、表示部２０の中央よりもやや下方に位置している。
【００１５】
重量物３０は、表示装置１の転倒角を確保しながら設置面積（奥行きＤ１）を小さくするためのものである。ここに転倒角とは、組立体４０の転倒しにくさ（組立体４０を傾けても転倒しない角度）をいう。ちなみに規格（ＵＬ１９．１）において転倒角は全方向１０°とすることが定められている。例えば図１および図２に示したような平坦な平板状の表示部２０を有する組立体４０では、とりわけ前方および後方への転倒角の確保が重要となる。以下では、組立体４０の後方転倒角θＢを例えば１０°、組立体４０の前方転倒角θＦを例えば１０°とする場合について説明する。
【００１６】
重量物３０は、表示部２０の背面側、具体的には、例えば表示部２０の背面外側の下部に設けられている。重量物３０を表示部２０の背面外側の下部に設けることにより、表示部２０の背面外側にケーブル（図示せず）等の接続のための空間を確保することが可能となる。重量物３０の重心Ｇｓは、重量物３０の下面近傍に位置する。
【００１７】
重量物３０は、例えば電気亜鉛めっき鋼板（ＳＥＣＣ）などの金属塊よりなる重りであることが好ましい。重量物３０の形状は特に限定されないが、例えば図１および図２に示したような矩形断面の棒状とされている。
【００１８】
この表示装置１では、スタンド１０の設置面Ｐ１との接触部１０Ａは、図２に示したように、表示部２０の重心Ｇｄを通り設置面Ｐ１に垂直な第１の直線Ｌ１に対して組立体４０の後方転倒角θＢに等しい角度をなす第２の直線Ｌ２と、第１の直線Ｌ１に対して組立体４０の前方転倒角θＦに等しい角度をなす第３の直線Ｌ３と、設置面Ｐ１とで囲まれた第１の三角形ＴＬの内側に収まっている。これにより、この表示装置１では、設置面積を小さくすることが可能となっている。
【００１９】
以下、このことについて説明する。図４に示したように、通常の表示装置１００は、重量物１３０を有さず、スタンド１１０と表示部１２０とのみからなる組立体１４０を有している。スタンド１１０は、組立体１４０の前方転倒角θＦおよび後方転倒角θＢを確保するため、表示部１２０の前方および後方に大きく張り出している。
【００２０】
ここで、スタンド１１０の奥行きの下限Ｄｍｉｎは、表示部１２０の重心Ｇｄを頂点とする上記第１の三角形ＴＬの底辺に相当する。スタンド１１０の奥行きＤ１は、この第１の三角形ＴＬの底辺よりも短くならない。そうしてしまうと後方転倒角θＢおよび前方転倒角θＦの確保が難しくなり、組立体１４０が転倒しやすくなるからである。
【００２１】
なお、実際には、スタンド１１０の奥行きＤ１は、上記第１の三角形ＴＬの前方および後方に余裕ＭＦ，ＭＢをそれぞれ見込んで、上記第１の三角形ＴＬの底辺よりもはみ出すように設定される（Ｄ１＝Ｄｍｉｎ＋ＭＦ＋ＭＢ）。なお、図４において最も大きい第３の三角形ＴＬＬは、実際のスタンド１１０の奥行きＤ１を底辺として描いたものである。
【００２２】
一方、本実施の形態では、図５に示したように、表示部２０の背面側に重量物３０が設けられている。このとき、組立体４０の重心Ｇａは、表示部２０の重心Ｇｄと重量物３０の重心Ｇｓとを結ぶ直線ＬＧ上で、表示部２０と重量物３０との重量比により決定される。重量物３０の位置および重量を適切に設定することにより、組立体４０の重心Ｇａを、スタンド１０の設置面Ｐ１との接触部１０Ａの上方に位置させることが可能となり、スタンド１０の奥行きＤ１が小さくても組立体４０の転倒が抑えられ、組立体４０がバランスよく支持される。
【００２３】
更に、組立体４０の重心Ｇａは、スタンド１０の設置面Ｐ１との接触部１０Ａの中央真上に位置させることが好ましい。このようにすることにより、組立体４０を最もバランスよく支持させることが可能となる。
【００２４】
スタンド１０の設置面Ｐ１との接触部１０Ａは、図５に示したように、組立体４０の重心Ｇａを通り設置面Ｐ１に垂直な第４の直線Ｌ４に対して組立体４０の後方転倒角θＢに等しい角度をなす第５の直線Ｌ５と、第４の直線４に対して組立体４０の前方転倒角θＦに等しい角度をなす第６の直線Ｌ６と、設置面Ｐ１とで囲まれた第２の三角形ＴＳの底辺をなしている。重量物３０の位置および重量を適切に設定することにより、組立体４０の重心Ｇａを頂点とする第２の三角形ＴＳを、表示部２０の重心Ｇｄを頂点とする第１の三角形ＴＬの内側に収めることが可能となる。
【００２５】
この表示装置１は、表示部２０の背面下方に重量物３０を設置することを除いては、公知の製造方法により製造することが可能である。その際、重量物３０の位置および重量は、例えば以下のようにして設定することができる。
【００２６】
まず、図６に示したように、表示部２０の下方に、スタンド１０の設置面Ｐ１との接触部１０Ａを任意に設定する。スタンド１０は、表示部２０の前端２０Ａよりもはみ出さず、スタンド１０の奥行きＤ１はできるだけ小さいことが好ましいが、必ずしもこれに限定されない。表示部２０の重心Ｇｄは、上述したように表示部２０の中央よりやや下方に位置する。
【００２７】
続いて、図７に示したように、表示部２０の背面側に重量物３０を設置する。組立体４０の重心Ｇａは、表示部２０の重心Ｇｄと重量物３０の重心Ｇｓとを結ぶ直線ＬＧ上で、表示部２０と重量物３０との重量比により算出することが可能である。そこで、組立体４０の重心Ｇａがスタンド１０の設置面Ｐ１との接触部１０Ａの上方にくるように、計算により重量物３０の位置および重量を求める。なお、表示部１０の重量が例えば１０ｋｇであり、後方転倒角θＢおよび前方転倒角θＦをそれぞれ１０°とする場合には、重量物３０の重量を約４ｋｇないし５ｋｇ程度に抑えることが可能である。
【００２８】
このように本実施の形態では、表示部２０の背面側に重量物３０を設け、スタンド１０の設置面Ｐ１との接触部１０Ａが上記第１の三角形ＴＬの内側に収まるようにしたので、設置面積を小さくすることが可能となる。
【００２９】
（第２の実施の形態）
図８は、本開示の第２の実施の形態に係る表示装置を背面側から見た外観を表したものである。図９は、この表示装置を図８における矢印ＩＸ方向（左側方）から見た外観を表している。図１０は、この表示装置を前面側から見た外観を表したものである。この表示装置１Ａは、重量物３０を表示部２０の被覆部材２３内に内蔵したことを除いては、上記第１の実施の形態と同様の構成、作用および効果を有し、同様にして製造することができる。よって、対応する構成要素には同一の符号を付して説明する。
【００３０】
この表示装置１Ａでは、上述したように重量物３０が表示部２０の被覆部材２３内に内蔵されていることにより、組立体４０の後端４０Ｂが、表示部２０の後端２０Ｂを通り設置面Ｐ１に垂直な面Ｐ２内にある。これにより、表示装置１Ａを壁（建物の壁面や棚の奥の壁面）に寄せて配置することが可能となり、表示装置１Ａの後方のスペースを節約することが可能となる。
【００３１】
更に、この表示装置１Ａでは、スタンド１０の幅Ｄ１と表示部２０の幅Ｄ２とを等しくすることも可能となり、更に設置面積および奥行きの縮小が可能となる。
【００３２】
重量物３０は、第１の実施の形態と同様に、金属塊よりなる重りにより構成されている。重量物３０は、例えば図１１および図１２に示したように、被覆部材２３の内側の最も低い位置に収納されていることが好ましい。重量物３０の重心Ｇｓをなるべく低くすることにより、スタンド１０の奥行きＤ１を更に小さくことが可能となるからである。重量物３０の形状は特に限定されないが、例えば図１１および図１２に示したように、断面三角形の棒状とされている。
【００３３】
また、重量物３０は、図示しないが、表示部２０の電源またはスピーカをもって代えることも可能である。
【００３４】
（第３の実施の形態）
図１３は、本開示の第３の実施の形態に係る表示装置を背面側から見た外観を表したものである。図１４は、この表示装置を図１３における矢印ＸＩＶ方向（左側方）から見た外観を表している。図１５は、この表示装置を前面側から見た外観を表したものである。この表示装置１Ｂは、被覆部材２３を筐体２２に一体化したことを除いては、上記第２の実施の形態と同様の構成、作用および効果を有し、同様にして製造することができる。
【００３５】
この表示装置１Ｂでは、第２の実施の形態と同様に、重量物３０が表示部２０の筐体２２内に内蔵され、組立体４０の後端４０Ｂが、表示部２０の後端２０Ｂを通り設置面Ｐ１に垂直な面Ｐ２内にある。これにより、この表示装置１Ｂでは、第２の実施の形態と同様に、表示装置１Ａの後方のスペースを節約すると共に、更に設置面積および奥行きの縮小が可能となっている。
【００３６】
表示部２０の背面２０Ｃは、一律な傾斜をもつ傾斜面とされており、表示部２０の厚みは上端２０Ｄから下端２０Ｅに向かって徐々に厚くなっている。表示部２０の厚みが相対的に厚くなっている下部２０Ｆには、電源、基板類およびスピーカ（いずれも図示せず）と共に、第２の実施の形態と同様の重量物３０が収容されている。あるいは、重量物３０は、図示しないが、表示部２０の電源またはスピーカをもって代えることも可能である。
【００３７】
（第４の実施の形態）
図１６は、本開示の第４の実施の形態に係る表示装置を背面側から見た外観を表したものである。図１７は、この表示装置を図１６における矢印ＸＶＩＩ方向（左側方）から見た外観を表している。図１８は、この表示装置を前面側から見た外観を表したものである。この表示装置１Ｃは、表示部２０の背面２０Ｃの形状が異なることを除いては、上記第３の実施の形態と同様の構成、作用および効果を有し、同様にして製造することができる。
【００３８】
この表示装置１Ｃでは、第２の実施の形態と同様に、重量物３０が表示部２０の筐体２２内に内蔵され、組立体４０の後端４０Ｂが、表示部２０の後端２０Ｂを通り設置面Ｐ１に垂直な面Ｐ２内にある。これにより、この表示装置１Ｃでは、第２の実施の形態と同様に、表示装置１Ａの後方のスペースを節約すると共に、更に設置面積および奥行きの縮小が可能となっている。
【００３９】
表示部２０の背面２０Ｃには、表示部２０の厚みが薄い上部２０Ｇと表示部２０の厚みが厚い下部２０Ｆとをつなげる曲面状の推移部２０Ｈが設けられている。表示部２０の厚みが厚い下部２０Ｆには、電源、基板類およびスピーカ（いずれも図示せず）と共に、第２の実施の形態と同様の重量物３０が収容されている。あるいは、重量物３０は、図示しないが、表示部２０の電源またはスピーカをもって代えることも可能である。なお、推移部２０Ｈは、曲面状に限らず傾斜面でもよい。
【００４０】
（第５の実施の形態）
図１９は、本開示の第５の実施の形態に係る表示装置を斜め前方から見た外観を表したものである。図２０ないし図２２は、この表示装置を図１９における矢印ＸＸ方向（左側方），矢印ＸＸＩ方向（斜め後方），矢印ＸＸＩＩ方向（前面側）から見た外観をそれぞれ表している。この表示装置１Ｄは、表示部２０が一次元方向（Ｘ方向）に湾曲されていることを除いては、上記第１の実施の形態と同様の構成、作用および効果を有し、同様にして製造することができる。
【００４１】
具体的には、表示部２０は、例えば図１９または図２１に示したように、後方（背面側）に凸に湾曲した円弧状の湾曲形状を有していることが望ましい。このようにすることにより、表示部２０を前方正面から見たときの形状において、中央部が左右部よりもゆるやかに細くなるので、遠近法の視覚効果により一体感・没入感を生み出すことが可能となる。
【００４２】
表示部２０の湾曲形状は、Ｙ方向においては一様であることが好ましい。Ｙ方向において曲率が変化している場合には、表示部２０に局所的にひねりが入り、表示部２０が損傷を受けたり、表示不良を招いたりするおそれがあるからである。
【００４３】
重量物３０は、例えば、表示部２０の湾曲方向における両端部、具体的には左右端の下部に設けられていることが好ましい。その理由は以下の通りである。表示部２０が後方に凸に湾曲している場合には、表示部２０の重心Ｇｄの位置に対して、左右端の位置が前方に来る。そのため、重量物３０を表示部２０の湾曲方向における両端部（左右端）に配置することにより、図２０に示したように、組立体４０の後端４０Ｂが、表示部２０の後端２０Ｂを通り設置面Ｐ１に垂直な面Ｐ２内にあるようにすることが可能となる。よって、第２の実施の形態と同様に、表示装置１Ｄの後方のスペースを節約すると共に、更に設置面積および奥行きの縮小が可能となる。
【００４４】
更に、表示部２０の背面の左右端には、電源、基板類またはスピーカ（いずれも図示せず）が配置されていてもよい。このように電源、基板類またはスピーカを表示部２０の左右端に配置することにより、電源、基板類またはスピーカを重量物３０によって確実に支持することが可能となる。また、スピーカを表示部２０の左右端に配置することにより、映像と音とが視覚的に分離なく一体化し、上述した表示部２０の湾曲による遠近法の視覚効果と相俟って、一体感・没入感を更に強めることが可能となる。
【００４５】
なお、重量物３０は、表示部２０の左右端の下部に限らず、図示しないが、第１の実施の形態と同様に表示部２０の中央の下部に設けることも可能である。
【００４６】
以上、実施の形態を挙げて本開示を説明したが、本開示は上記実施の形態に限定されるものではなく、種々の変形が可能である。例えば、上記実施の形態では、組立体４０の後方転倒角θＢを例えば１０°、組立体４０の前方転倒角θＦを例えば１０°とした場合について説明した。しかしながら。後方転倒角θＢおよび前方転倒角θＦは、上記規格を満たしている限り、１０°より大きい角度に設定することも可能である。また、後方転倒角θＢと前方転倒角θＦとは、上記規格を満たしている限り、等しくてもよいし、異なっていてもよい。
【００４７】
例えば、上記実施の形態において表示装置１（テレビジョン装置）の構成を具体的に挙げて説明したが、全ての構成要素を備える必要はなく、また、他の構成要素を更に備えていてもよい。
【００４８】
加えて、例えば、上記実施の形態において説明した各構成要素の材料、寸法および形状などは限定されるものではなく、他の材料、寸法および形状としてもよい。
【００４９】
本開示は、上記実施の形態で説明したテレビジョン装置のほか、モニターなど他の表示装置にも適用することが可能である。
【００５０】
なお、本技術は以下のような構成を取ることも可能である。
（１）
設置面に載置されたスタンドと、
前記スタンドに支持された平板状の表示部と、
前記表示部の背面側に設けられた重量物と
を含む組立体を備え、
前記スタンドの前記設置面との接触部は、前記表示部の重心を通り前記設置面に垂直な第１の直線に対して前記組立体の後方転倒角に等しい角度をなす第２の直線と、前記第１の直線に対して前記組立体の前方転倒角に等しい角度をなす第３の直線と、前記設置面とで囲まれた第１の三角形の内側に収まっている
表示装置。
（２）
前記スタンドの前記設置面との接触部は、前記組立体の重心を通り前記設置面に垂直な第４の直線に対して前記組立体の後方転倒角に等しい角度をなす第５の直線と、前記第４の直線に対して前記組立体の前方転倒角に等しい角度をなす第６の直線と、前記設置面とで囲まれた第２の三角形の底辺をなしている
前記（１）記載の表示装置。
（３）
前記重量物の位置および重量は、前記第２の三角形が前記第１の三角形の内側にあるように調整されている
前記（２）記載の表示装置。
（４）
前記組立体の後端が、前記表示部の後端を通り前記設置面に垂直な面内にある
前記（１）ないし（３）のいずれか１項に記載の表示装置。
（５）
前記重量物は、金属塊よりなる重りである
前記（１）ないし（４）のいずれか１項に記載の表示装置。
（６）
前記重量物は、前記表示部に内蔵されている
前記（１）ないし（５）のいずれか１項に記載の表示装置。
（７）
前記重量物は、前記表示部の電源またはスピーカである
前記（６）記載の表示装置。
（８）
前記表示部は、一次元方向に湾曲している
前記（１）ないし（７）のいずれか１項に記載の表示装置。
（９）
前記重量物は、前記表示部の湾曲方向における両端に設けられている
前記（８）記載の表示装置。
【符号の説明】
【００５１】
１…表示装置、１０…スタンド、１０Ａ…接触部、２０…表示部、２１…表示パネル、２２…筐体、２３…被覆部材、３０…重量物、４０…組立体、Ｄ１…スタンド奥行き、Ｇａ…組立体の重心、Ｇｄ…表示部の重心、ＴＬ…第１の三角形、ＴＳ…第２の三角形、Ｐ１…設置面。
【図１】
2014191059.tif 000003
【図２】
2014191059.tif 000004
【図３】
2014191059.tif 000005
【図４】
2014191059.tif 000006
【図５】
2014191059.tif 000007
【図６】
2014191059.tif 000008
【図７】
2014191059.tif 000009
【図８】
2014191059.tif 000010
【図９】
2014191059.tif 000011
【図１０】
2014191059.tif 000012
【図１１】
2014191059.tif 000013
【図１２】
2014191059.tif 000014
【図１３】
2014191059.tif 000015
【図１４】
2014191059.tif 000016
【図１５】
2014191059.tif 000017
【図１６】
2014191059.tif 000018
【図１７】
2014191059.tif 000019
【図１８】
2014191059.tif 000020
【図１９】
2014191059.tif 000021
【図２０】
2014191059.tif 000022
【図２１】
2014191059.tif 000023
【図２２】
2014191059.tif 000024